(57)【要約】【課題】商品に応じた高さ調整を簡単にする。【解決手段】外箱１０の内部に２行以上３列の配列で商品を収容し、その商品間を仕切る仕切部材２０において、列の中央に位置する行数分の緩衝底壁２１Ａ，２１Ｂと、緩衝底壁２１Ａ，２１Ｂの対向縁を連続するように設けた第１仕切壁２２と、緩衝底壁２１Ａ，２１Ｂの両側縁に設けた第２仕切壁２４Ａ〜２４Ｄと、隣接する第２仕切壁２４Ａ，２４Ｃおよび２４Ｂ，２４Ｄの対向縁を連続するように設けた第３仕切壁２５Ａ，２５Ｂとを備え、第１仕切壁２２は、一対の重畳面２３Ａ，２３Ｂのうち、第１重畳面２３Ａに略Ｕ字形状をなす切断線３１を設け、その内部に組立状態で第２重畳面２３Ｂと連続して上向きに延びる突出部３２を有する。【選択図】図１
2007153435.tif 000002
【特許請求の範囲】
【請求項１】
断面矩形状をなす外箱の内部に２行以上３列の配列で商品を収容し、その商品間を仕切る仕切部材において、
列の中央に位置する行数分の緩衝底壁と、
隣接する前記緩衝底壁の対向縁を連続するように設けた断面略逆Ｕ字形状をなす第１仕切壁と、
前記緩衝底壁の両側縁に設けた第２仕切壁と、
隣接する前記第２仕切壁の対向縁を連続するように設けた平面視略Ｕ字形状をなす第３仕切壁とを備え、
前記第１仕切壁は、一対の重畳面のうち、第１重畳面に略Ｕ字形状をなす切断線を設け、その内部に組立状態で第２重畳面と連続して上向きに延びる突出部を有することを特徴とする仕切部材。
【請求項２】
前記第１仕切壁の両側縁を上方外向きに広がるように形成し、その少なくとも一部が重畳状態の前記第３仕切壁内に挟持されるようにしたことを特徴とする請求項１に記載の仕切部材。
【請求項３】
前記切断線において、前記突出部の先端縁との対応位置に緩衝手段を設けたことを特徴とする請求項１または請求項２に記載の仕切部材。
【発明の詳細な説明】
【技術分野】
【０００１】
本発明は、外箱内に収容した複数の商品間を仕切る仕切部材に関するものである。
【背景技術】
【０００２】
本発明の仕切部材に関連する先行技術文献情報としては次のものがある。
【０００３】
【特許文献１】特開平１１−２２７７４６号公報
【０００４】
この特許文献１には、四方を囲繞する４面の側壁を備え、各側壁の上下端縁に底壁および天壁を構成するフラップを連設した外箱の内部に、２行３列の配列で飲料を収容した容器などの商品を収容する際に使用する仕切部材が記載されている。この仕切部材は、列の中央に位置する一対の緩衝底壁と、これら緩衝底壁の対向縁を連続するように設けた第１仕切壁と、各緩衝底壁の両側縁に設けた第２仕切壁と、列方向に隣接する第２仕切壁を連続するように設けた第３仕切壁とを備えている。この仕切部材は、緩衝底壁が外箱の内フラップ間に位置し、底全体を二重底とすることにより、収容状態での緩衝性能を向上している。
【０００５】
しかしながら、前記仕切部材は、収容する商品の全高に応じて組立状態での高さを確保するには、紙材料の使用面積が非常に多くなり、コスト高になるという問題がある。しかも、第１仕切壁の全高を高くすると、それに対応する第２仕切壁の横方向の寸法が大きくなり、組立状態での寸法設定が一致しなくなるため、商品に応じた全高設定が非常に困難である。
【発明の開示】
【発明が解決しようとする課題】
【０００６】
本発明は、従来の問題に鑑みてなされたもので、商品に応じた高さ調整が簡単な仕切部材を提供することを課題とするものである。
【課題を解決するための手段】
【０００７】
前記課題を解決するため、本発明の仕切部材は、断面矩形状をなす外箱の内部に２行以上３列の配列で商品を収容し、その商品間を仕切る仕切部材において、列の中央に位置する行数分の緩衝底壁と、隣接する前記緩衝底壁の対向縁を連続するように設けた断面略逆Ｕ字形状をなす第１仕切壁と、前記緩衝底壁の両側縁に設けた第２仕切壁と、隣接する前記第２仕切壁の対向縁を連続するように設けた平面視略Ｕ字形状をなす第３仕切壁とを備え、前記第１仕切壁は、一対の重畳面のうち、第１重畳面に略Ｕ字形状をなす切断線を設け、その内部に組立状態で第２重畳面と連続して上向きに延びる突出部を有する構成としている。
【０００８】
この仕切部材によれば、仕切る商品に基づいて全高を変更する場合、第１仕切壁は、切断線による突出部の大きさを変更するだけで、簡単に調整が可能である。また、第２仕切壁および第３仕切壁は、緩衝底壁からの第２仕切壁の突出寸法を変更するだけで、簡単に調整が可能である。しかも、全高を変更しても、平面視形状は変更されない。そのため、商品に応じて簡単に全高を調整することが可能であり、その変更により紙材料の使用面積が無駄に増えることもない。
【０００９】
この仕切部材では、前記第１仕切壁の両側縁を上方外向きに広がるように形成し、その少なくとも一部が重畳状態の前記第３仕切壁内に挟持されることが好ましい。このようにすれば、対向する第２仕切板を近接できるため、作業者は、片手で仕切部材を把持することが可能になる。そのため、外箱の内部に配置する際の作業性を向上できる。
【００１０】
また、前記切断線において、前記突出部の先端縁との対応位置に緩衝手段を設けることが好ましい。このようにすれば、ブランク状態からの突出部の切り起こし作業性を向上できる。
【発明の効果】
【００１１】
本発明の仕切部材では、切断線による突出部の大きさを変更するだけで、第１仕切壁の全高を簡単に調整でき、緩衝底壁からの第２仕切壁の突出寸法を変更するだけで、第２仕切壁および第３仕切壁の全高を簡単に調整できる。そして、全高を変更しても、平面視形状は変更されないため、商品に応じて簡単に全高を調整することが可能であり、その変更により紙材料の使用面積が無駄に増えることもない。
【発明を実施するための最良の形態】
【００１２】
以下、本発明の実施の形態を図面に従って説明する。
【００１３】
図１から図５は、本発明の第１実施形態に係る仕切部材２０を適用した包装箱を示す。この包装箱は、２行３列の配置でガラス瓶製の容器を収容する断面矩形状の外箱１０と、該外箱１０の内部に配置して各商品間を仕切る仕切部材２０とからなる。
【００１４】
これら外箱１０および仕切部材２０は、一対の表紙と裏紙との間に波状の中しんを配設した段ボール紙を、周知の紙器打抜装置によって図４および図５に示す一枚のブランクとしてそれぞれ打ち抜いて成形される。
【００１５】
具体的には、外箱１０は、図４に示すように、横方向に連続した４面の側壁１１Ａ〜１１Ｄを備え、その一端の側壁１１Ｄには、他端の側壁１１Ａに貼着するための糊代部１２が連設されている。これら側壁１１Ａ〜１１Ｄおよび糊代部１２の各境界部分には、肉厚を圧縮するように罫を入れて形成した折曲線１３が設けられている。
【００１６】
また、側壁１１Ａ〜１１Ｄには、その各上端縁に天壁を構成する上フラップ１４Ａ〜１４Ｄが連設されるとともに、各下端縁に底壁を構成する下フラップ１５Ａ〜１５Ｄが連設されている。さらに、糊代部１２の上下端縁には、上フラップ１４Ａに貼着する糊付代１６Ａ，１６Ｂが連設されている。そして、各側壁１１Ａ〜１１Ｄおよび糊代部１２との境界部分には、前記と同様の折曲線１７が設けられている。
【００１７】
前記上フラップ１４Ａ〜１４Ｄのうち、一対の上フラップ１４Ａ，１４Ｃは内側に位置される内フラップを構成し、他の一対の上フラップ１４Ｂ，１４Ｄはその外側に重畳される外フラップを構成する。そして、内フラップを構成する上フラップ１４Ａ，１４Ｃには、商品の上端を安定状態に位置決めするために円形状の潰し加工部１８が設けられている。同様に、前記下フラップ１５Ａ〜１５Ｄのうち、一対の下フラップ１５Ａ，１５Ｃは内側に位置される内フラップを構成し、他の一対の下フラップ１５Ｂ，１５Ｄはその外側に重畳される外フラップを構成する。そして、内フラップを構成する下フラップ１５Ａ，１５Ｃには、商品の下端を安定状態に位置決めするために円形状の潰し加工部１９が設けられている。
【００１８】
前記仕切部材２０は、図５に示すように、矩形状をなすブランクシートに対して所定位置に折曲線および切断線を設けることにより、組立状態で、一対の緩衝底壁２１Ａ，２１Ｂと、中央の第１仕切壁２２と、４カ所の第２仕切壁２４Ａ〜２４Ｄと、一対の第３仕切壁２５Ａ，２５Ｂとを備えた形状とするものである。
【００１９】
具体的には、仕切部材２０のブランクは、その中央上下端にそれぞれ正方形状をなす一対の緩衝底壁２１Ａ，２１Ｂを備え、これらの間に第１仕切壁２２を形成するための一対の縦向重畳面２３Ａ，２３Ｂが形成されている。また、緩衝底壁２１Ａ，２１Ｂの両側縁には、それぞれ第２仕切壁２４Ａ〜２４Ｄが形成されている。さらに、第１仕切壁２２の両側縁でかつ第２仕切壁２４Ａ，２４Ｃおよび２４Ｂ，２４Ｄ間に位置する部分には、第３仕切壁２５Ａ，２５Ｂを形成するための各一対の横向重畳面２６Ａ，２６Ｂおよび２６Ｃ，２６Ｄがそれぞれ形成されている。
【００２０】
そして、緩衝底壁２１Ａ，２１Ｂと隣接する縦向重畳面２３Ａ，２３Ｂとの各境界部分には、前記と同様に肉厚を圧縮するように罫を入れて形成した折り線と、該折り線に沿って設けた切断線とで構成されるリード罫からなる折曲線２７が設けられている。また、緩衝底壁２１Ａ，２１Ｂと隣接する第２仕切壁２４Ａ〜２４Ｄの各境界部分には、同様のリード罫からなる折曲線２８が設けられている。この折曲線２８の先端には、半円形状の切欠部２９が設けられている。
【００２１】
また、縦向重畳面２３Ａ，２３Ｂの境界部分には、その中央の非折曲部を除く両側に折曲線３０が設けられている。そして、これら折曲線３０の端部間には、第１の縦向重畳面２３Ａ内に延びるように略Ｕ字形状をなす切断線３１が設けられている。この切断線３１の内部は、組立状態で第２の縦向重畳面２３Ｂと連続して上向きに面一に延びる突出部３２を構成する。なお、切断線３１の基部には、折曲線３０に沿って延びる破断防止用切断線３３が設けられている。また、前記突出部３２は、組立状態での上端が、組立状態での第２仕切壁２４の上端と一致する寸法に設定されている。
【００２２】
さらに、第１仕切壁２２を構成する縦向重畳面２３Ａ，２３Ｂと、第３仕切壁２５Ａ，２５Ｂを構成する横向重畳面２６Ａ〜２６Ｄとの境界部分は、切断線３４により区画されている。この切断線３４は、組立状態で第１仕切壁２２の両側縁が上方外向きに広がるように、折曲線２７の端部近傍から外向きに傾斜するように設けられている。本実施形態では、切断線３４の基部を、緩衝底壁２１Ａ，２１Ｂの角部となる折曲線２７の端部から若干内側に位置させることにより、第２仕切壁２４Ａ〜２４Ｄの立ち上がり角度に影響が及ぶことを防止している。また、切断線３４の先端には、外向きに湾曲する円弧状切断部３４ａが設けられ、第１仕切壁２２の外向きの広がり範囲を増大している。
【００２３】
さらにまた、第２仕切壁２４Ａと横向重畳面２６Ａとの境界部分、第２仕切壁２４Ｂと横向重畳面２６Ｃとの境界部分、第２仕切壁２４Ｃと横向重畳面２６Ｂとの境界部分、および、第２仕切壁２４Ｄと横向重畳面２６Ｄとの境界部分には、折曲線２７の端部から該折曲線２７と直線的に延びるように折曲線３５が設けられている。また、この折曲線３５の基部には、前記切断線３４と連続するように延びる破断防止用切断線３６が設けられている。
【００２４】
そして、横向重畳面２６Ａ，２６Ｂの境界部分には、折曲線２７と同様に折り線と切断線とで構成されるリード罫からなる折曲線３７が、前記折曲線３０と直線的に延びるように設けられている。
【００２５】
このように構成した仕切部材２０を組み立てる場合には、まず、図２（Ａ）に示すように、縦向重畳面２３Ａ，２３Ｂを折曲線３０に沿って山折りするとともに、これら縦向重畳面２３Ａ，２３Ｂと切断線３４により区画された横向重畳面２６Ａ，２６Ｂおよび２６Ｃ，２６Ｄを折曲線３７に沿って谷折りする。これにより、同時に、折曲線２７に沿って緩衝底壁２１Ａ，２１Ｂが縦向重畳面２３Ａ，２３Ｂに対して谷折りされ、折曲線３５に沿って第２仕切壁２４Ａ〜２４Ｄが横向重畳面２６Ａ〜２６Ｄに対して山折りされる。また、第１仕切壁２２では、切断線３１により区画され、折曲線３０が設けられていない突出部３２が、第２の縦向重畳面２３Ｂと面一の状態で上向きに突出する。
【００２６】
そして、折曲線３０および折曲線３７に沿って山折りおよび谷折りを行うと、図２（Ｂ）に示すように、縦向重畳面２３Ａ，２３Ｂが完全に重畳した状態で上向きに突出し、また、横向重畳面２６Ａ，２６Ｂおよび２６Ｃ，２６Ｄが完全に重畳した状態で下向きに突出する。更に、縦（列）方向に対応する第２仕切壁２４Ａ，２４Ｃおよび２４Ｂ，２４Ｄの端部が当接し、互いに面一な状態をなす。
【００２７】
この状態で、折曲線２８に沿って緩衝底壁２１Ａ，２１Ｂに対して第２仕切壁２４Ａ，２４Ｃ，２４Ｂ，２４Ｄを谷折りする。この際、上方外向きに広がる第１仕切壁２２の両側縁を、第３仕切壁２５Ａ，２５Ｂを構成する横向重畳面２６Ａ，２６Ｂおよび２６Ｃ，２６Ｄの間に挟持させることにより、図１に示す組立状態となる。
【００２８】
この組立状態では、３列の中央に２行分の緩衝底壁２１Ａ，２１Ｂが隣接して位置する。そして、これら緩衝底壁２１Ａ，２１Ｂの間には、その対向縁に連続するように設けた断面逆Ｕ字形状をなす第１仕切壁２２が立設されている。また、各緩衝底壁２１Ａ，２１Ｂの両側縁には、それぞれ第２仕切壁２４Ａ〜２４Ｄが屈曲されて立設されている。さらに、列（縦）方向に隣接する第２仕切壁２４Ａ，２４Ｃおよび２４Ｂ，２４Ｄの間には、その対向縁に連続するように設けた平面視Ｕ字形状をなす第３仕切壁２５Ａ，２５Ｂが突出されている。そのうち、第１仕切壁２２には、構成する第１の縦向重畳面２３Ａから切り起こして形成した突出部３２が、第２の縦向重畳面２３Ｂと面一の状態で、他の仕切壁２４Ａ〜２４Ｄ，２５Ａ，２５Ｂと同一高さまで上向きに突出されている。
【００２９】
このように、本実施形態の仕切部材２０は、各壁を位置決めするために組み込みなどの作業をすることなく、単に所定部位を山折りまたは谷折りするだけで組み立てることができる。そして、この組立状態では、緩衝底壁２１Ａ，２１Ｂ、および、連続した平面視Ｕ字形状をなす第３仕切壁２５Ａ，２５Ｂにより、自身で正立した（自立）状態を保持できる。
【００３０】
また、第１仕切壁２２は、屈曲した第３仕切壁２５Ａ，２５Ｂ間に挟持されており、この状態では行方向に隣接する第２仕切壁２４Ａ，２４Ｂおよび２４Ｃ，２４Ｄの上端が近接するように容易に変形可能である。そのため、作業者は、この状態になるように、第２仕切壁２４Ａ〜２４Ｄと横向重畳面２６Ａ〜２６Ｄの４つの角部を片手で把持することにより、組立状態の外箱１０内に簡単に挿入することができる。
【００３１】
そして、外箱１０内に仕切部材２０を配置した状態では、図３に示すように、緩衝底壁２１Ａ，２１Ｂが対向する下フラップ１５Ａ，１５Ｃ間に位置し、外箱１０の底全面にかけて二重底を構成する。また、この状態では、横方向に突出した第３仕切壁２５Ａ，２５Ｂの下端縁が下フラップ１５Ａ，１５Ｃに緩衝するため、更に自立性が高くなる。
【００３２】
一方、この仕切部材２０によって仕切る商品に基づいて全高を変更する場合、第１仕切壁２２は、切断線３１による突出部３２の大きさを変更するだけで、簡単に調整が可能である。また、第２仕切壁２４Ａ〜２４Ｄおよび第３仕切壁２５Ａ，２５Ｂは、図５において、折曲線から横方向の縁までの寸法を変更するだけで、簡単に調整が可能である。このように、仕切部材２０は、仕切る商品の全高に応じて組立状態の全高を簡単に確保できる。しかも、全高を変更することに基づいて組立状態での寸法設定が不一致状態になることもない。言い換えれば、平面視形状を変更することなく、簡単に全高を調整することが可能であり、その変更により紙材料の使用面積が無駄に増えることもない。
【００３３】
図６（Ａ），（Ｂ）および図７は第２実施形態の仕切部材２０を示す。この第２実施形態では、切断線３１において、突出部３２の先端縁と対応する位置に、緩衝手段として、放射状に突出する複数の第３切断線３８を設けるとともに、両端の第３切断線３８，３８にかけて切断線３１と所定間隔をもって折曲線３９を設けた点で大きく相違している。なお、本実施形態では、第１仕切壁２２は、第１実施形態と同様に両側縁を上方外向きに広がるように切断線３４を設けているが、円弧状切断部３４ａは設けていない。
【００３４】
このように構成した第２実施形態では、第１実施形態と同様の作用および効果を得ることができる。しかも、ブランク状態から仕切部材２０を組み立てる際、突出部３２が切断線３１の縁に干渉して抵抗になり、最悪の場合には表面のライナーに剥がれが生じる可能性があるが、本実施形態では、緩衝手段として、複数の第３切断線３８を設けることにより、複数の弾性片が形成されている。そのため、第１の縦向重畳面２３Ａからの突出部３２の切り起こし作業性を向上でき、このような問題が生じることを確実に防止できる。
【００３５】
なお、本発明の仕切部材２０は、前記実施形態の構成に限定されるものではなく、種々の変更が可能である。
【００３６】
例えば、前記実施形態では、２行３列の配列で仕切部材２０を形成したが、３列であれば２行に限られず、図８および図９に示すように、緩衝底壁２１Ｂ、第２仕切壁２４Ｃ，２４Ｄに隣接させて、更に第１仕切壁２２および第３仕切壁２５Ｃ，２５Ｄを連設するとともに、これらに緩衝底壁２１Ｃ、第２仕切壁２４Ｅ，２４Ｆを連設することにより、３行以上に構成することも可能である。
【００３７】
また、前記実施形態では、一対の重畳面２３Ａと２３Ｂ，２６Ａと２６Ｂ，２６Ｃと２６Ｄからなる第１仕切壁２２および第３仕切壁２５Ａ，２５Ｂは、その境界部分を１本の折曲線３０，３７により区画したが、平行に延びる一対の折曲線により構成し、第１仕切壁２２および第３仕切壁２５Ａ，２５Ｂに所定の幅をもたせてもよい。言い換えれば、本発明において、重畳とは完全に重なり合う状態のみに限られず、若干の隙間をもたせた状態をも含む。
【図面の簡単な説明】
【００３８】
【図１】本発明に係る第１実施形態の仕切部材を用いた包装箱の分解斜視図である。
【図２】（Ａ），（Ｂ）は仕切部材の組立工程を示す斜視図である。
【図３】組立状態の包装箱の断面図である。
【図４】外箱のブランクを示す平面図である。
【図５】仕切部材のブランクを示す平面図である。
【図６】（Ａ），（Ｂ）は第２実施形態の仕切部材の組立工程を示す斜視図である。
【図７】第２実施形態の仕切部材のブランクを示す平面図である。
【図８】仕切部材の変形例を示す斜視図である。
【図９】図８の仕切部材のブランクを示す平面図である。
【符号の説明】
【００３９】
１０…外箱
２０…仕切部材
２１Ａ，２１Ｂ…緩衝底壁
２２…第１仕切壁
２３Ａ，２３Ｂ…縦向重畳面
２４Ａ〜２４Ｄ…第２仕切壁
２５Ａ，２５Ｂ…第３仕切壁
２６Ａ〜２６Ｄ…横向重畳面
３１…切断線
３２…突出部
３４…切断線
【図１】
2007153435.tif 000003
【図２】
2007153435.tif 000004
【図３】
2007153435.tif 000005
【図４】
2007153435.tif 000006
【図５】
2007153435.tif 000007
【図６】
2007153435.tif 000008
【図７】
2007153435.tif 000009
【図８】
2007153435.tif 000010
【図９】
2007153435.tif 000011